(57)【要約】      （修正有）【課題】異常の発生によって装置が停止した場合であっても、豚などの屠殺用動物に手動で連続的に電撃を付与することができる電撃装置を提供する。【解決手段】屠殺用動物を搬送する運搬装置６と、運搬装置の下流の所定の位置に配置される電撃付与手段４と、運搬装置の終端部の左右側面部に配置され、搬送された屠殺用動物を検知するセンサー５と、センサーから出力された情報に基づき運搬装置を停止させるとともに、電撃付与手段により電撃が付与されるように制御する制御装置を備える装置本体２と、装置本体の終端部を覆うように設けられるカバー３から構成されるもので、何らかの異常が発生した際には、カバーを上方、左、もしくは右方向に退避回動させ、電撃付与手段を上方に退避回動させるとともに、センサー５前側に退避移動させる。【選択図】図２
0003200148.tif 000002
【実用新案登録請求の範囲】
【請求項１】
屠殺用動物を搬送する運搬装置と、前記運搬装置の下流の所定の位置に配置され、電撃を付与する電極を主体とする電撃付与手段と、前記運搬装置の終端部の左右側面部に配置され、搬送された屠殺用動物を検知するセンサーと、前記センサーから出力された情報に基づき前記運搬装置を停止させるとともに、前記電撃付与手段により電撃が付与されるように制御する制御装置を備える装置本体と、前記装置本体の終端部を覆うように設けられるカバーから構成されるものであって、
前記電撃付与手段は、上下方向に所要角度回動自在に取り付けられ、
前記センサーは、前後方向にスライド移動可能に取り付けられ、
前記カバーは、上下又は左右方向に所要角度回動自在に取り付けられたこと
を特徴とする屠殺用の電撃装置。
【請求項２】
前記カバーは、
角度６０〜９０°回動自在に取り付けられていること
を特徴とする請求項１に記載の屠殺用の電撃装置。
【請求項３】
前記電撃付与手段の前側には、電撃が付与にされて仮死状態となった屠殺用動物を、放血コンベアの進行方向側に腹を向けて倒すための誘導部材が備えられていること
を特徴とする請求項１又は２に記載の屠殺用の電撃装置。
【請求項４】
前記屠殺用動物は、
豚であること
を特徴とする請求項１〜３のいずれかに記載の屠殺用の電撃装置。
【考案の詳細な説明】
【技術分野】
【０００１】
この考案は、動物に対して苦しみを与えることなく気絶させることのできる、屠殺用の電撃装置に関するものである。
より具体的には、屠殺用動物、特に豚に電気的刺激、すなわち電撃を付与して仮死状態にするための電撃装置に関するものである。
【背景技術】
【０００２】
豚を屠殺する処理工程の中に、電撃を付与して仮死状態にする工程がある。
このような豚に連続的に電撃を付与する電撃装置の一例が、特許第３４８９６８３号公報（特許文献１）に開示されている。
【０００３】
この特許文献１においては、痙攣，条件反射，筋肉収縮等を実質的に少なくし、屠殺用動物を気絶させることが可能な装置が提案されている。
【０００４】
この装置は、屠殺用動物を運搬するための運搬手段と、動物の頭部に当てて配置される少なくとも２つの頭部電極と、動物の胴部に当てて配置される少なくとの１つの胴部電極と、動物の脳を通って第一の電流パルスを導くために頭部電極に接続された第一の電気的手段と、動物の胴を通って第二の電流パルスを導くために胴部電極に接続された第二の電気的手段とを備えるものである。
【先行技術文献】
【特許文献】
【０００５】
【特許文献１】特許第３４８９６８３号公報（請求の範囲，第２図）
【考案の概要】
【考案が解決しようとする課題】
【０００６】
前記特許文献１に記載の気絶装置を始めとして、従来の電撃装置は、豚などの屠殺用動物への電撃の付与を、連続的かつ自動的に実施するものである。
しかしながら、前記従来の電撃装置は、故障などの何らかの異常が発生したことによって、装置が停止した場合には、手動で電撃を付与できる構成とはなっておらず、屠殺用動物を別のラインに搬送して電撃が付与されていた。
そのため、屠殺作業が煩瑣にあるおそれがあった。
【０００７】
この考案はかかる現状に鑑み、豚などの屠殺用動物に連続的に電撃を付与する電撃装置において、故障などの何らかの異常が発生したことによって、装置が停止した場合であっても、屠殺用動物に対して連続的に電撃を付与することができる、屠殺用の電撃装置を提供することを目的とするものである。
【課題を解決するための手段】
【０００８】
前記目的を達成するため、この考案にかかる請求項１に記載の考案は、
屠殺用動物を搬送する運搬装置と、前記運搬装置の下流の所定の位置に配置され、電撃を付与する電極を主体とする電撃付与手段と、前記運搬装置の終端部の左右側面部に配置され、搬送された屠殺用動物を検知するセンサーと、前記センサーから出力された情報に基づき前記運搬装置を停止させるとともに、前記電撃付与手段により電撃が付与されるように制御する制御装置を備える装置本体と、前記装置本体の終端部を覆うように設けられるカバーから構成されるものであって、
前記電撃付与手段は、上下方向に所要角度回動自在に取り付けられ、
前記センサーは、前後方向にスライド移動可能に取り付けられ、
前記カバーは、上下又は左右方向に所要角度回動自在に取り付けられたこと
を特徴とする屠殺用の電撃装置である。
【０００９】
この考案の請求項２に記載の考案は、
請求項１に記載の屠殺用の電撃装置において、
前記カバーは、
角度６０〜９０°回動自在に取り付けられていること
を特徴とするものである。
【００１０】
この考案の請求項３に記載の考案は、
請求項１又は２に記載の屠殺用の電撃装置において、
前記電撃付与手段の前側には、電撃が付与にされて仮死状態となった屠殺用動物を、放血コンベアの進行方向側に腹を向けて倒すための誘導部材が備えられていること
を特徴とするものである。
【００１１】
この考案の請求項４に記載の考案は、
請求項１〜３のいずれかに記載の屠殺用の電撃装置において、
前記屠殺用動物は、
豚であること
を特徴とするものである。
【考案の効果】
【００１２】
この考案にかかる屠殺用の電撃装置は、屠殺用動物を搬送する運搬装置と、前記運搬装置の下流の所定の位置に配置され、電撃を付与する電極を主体とする電撃付与手段と、前記運搬装置の終端部の左右側面部に配置され、搬送された屠殺用動物を検知するセンサーと、前記センサーから出力された情報に基づき前記運搬装置を停止させるとともに、前記電撃付与手段により電撃が付与されるように制御する制御装置を備える装置本体と、前記装置本体の終端部を覆うように設けられるカバーから構成されている。
したがって、追込み室から出た屠殺用動物、特に豚は、人手を要することなく、自動的かつ安全に電撃が付与されるので、作業員の電撃作業における負担が大幅に減少し、オートメーション化が可能となる。
【００１３】
特に、この考案にかかる屠殺用の電撃装置は、前記カバーを上方または左もしくは右方向に退避回動させ、前記電撃付与手段を上方に退避回動させるとともに、前記センサーを前側に退避移動させることで、故障などの何らかの異常が発生したことによって、装置が停止した場合であっても、屠殺用動物に連続的に電撃を付与することが可能となる。
【図面の簡単な説明】
【００１４】
【図１】この考案にかかる屠殺用の電撃装置の一例を示す平面図である。
【図２】図１に示す屠殺用の電撃装置の側面図である。
【図３】図１に示す屠殺用の電撃装置の要部の拡大側面図である。
【考案を実施するための形態】
【００１５】
以下、この考案にかかる屠殺用の電撃装置の実施の形態を、添付の図面に基づいて具体的に説明する。
なお、この考案の屠殺用の電撃装置は、図示の実施例に限定されるものではなく、考案の要旨を変更しない範囲内で改良を加えることができるものである。
【００１６】
この考案の屠殺用の電撃装置１は、図１および２に示すように、屠殺用動物（例えば、豚）Ｐを搬送するための腹乗せコンベア６と、前記腹乗せコンベア６の下流の所定の位置に配置され、電撃を付与する電極４ａを主体とする電撃付与手段４と、腹乗せコンベア６の終端部の左右側面部に配置され、前記電極４ａによる電撃を付与するのに適した位置に豚Ｐが搬送されたことを検知するセンサー５とを備える装置本体２と、前記装置本体２の終端部を覆うように設けられるカバー３から構成されている。
【００１７】
前記電撃付与手段４は、図２および３に示すように、前記センサー５よりも前側に所要の間隔を存して配置された装置本体２に、アーム４ｂを介して取り付けられるもので、前記電撃付与手段４は、前記アーム４ｂの基端部の回動軸を回動支点として、上下方向に所要の角度、好ましくは角度６０〜８０°、より好ましくは角度７０〜８０°で回動自在となっている。
【００１８】
電撃を付与する部位については、特段の制限はなく、仮死状態にするのに適した、一または複数の部位に対して電撃を付与することができるので、例えば、頭部および／または胸部、好ましくは頭部のみに電撃を付与することができる。
なお、頭部と胸部の両方に電撃を付与する場合には、心臓の再動を防止する観点から、頭部、胸部の順に行うことが好ましい。
【００１９】
さらに、電撃の付与の条件については、部位に応じて、仮死状態にするのに適した条件を選択することができる。
この実施例においては、電極４ａによる電撃の付与は、定電圧（例えば、１２０〜２４０Ｖ）で、適当な周波数（例えば、５０〜６０Ｈｚ）で、所定の時間（例えば、１〜１０秒）行なっている。
【００２０】
前記センサー５は、図２および３に示すように、前記腹乗せコンベア装置６の終端部の左右側面部に配置されるもので、搬送された豚Ｐを検知し、その情報を制御装置（図示せず）に送るものである。
豚Ｐを検知すると、その情報は制御装置に送られる。
この制御装置によって、前記腹乗せコンベア装置６は停止するとともに、豚Ｐに接触している電撃付与手段４による電撃が付与される。
【００２１】
前記センサー５は、前後方向に所要の距離スライド移動可能に取り付けられている。
この実施例においては、前記センサー５は、豚Ｐの頭が露出し、作業員が安全に電撃を付与することができるスペースを確保できるよう所要の距離、例えば、２５０〜４００ｍｍ、好ましくは３５０ｍｍ程度、移動するように構成されている。
【００２２】
前記カバー３は、前記腹乗せコンベア装置６側の側面および底面が開口した、断面台形状のもので、作業員が前記電撃付与手段４の電極４ａなどに手を触れて感電するなどの事故を防止するためのものである。
【００２３】
前記カバー３は、図１に示すように、装置本体２の終端部の上方の桁部に、２本のアーム３ａ，３ａを介して取り付けられ、前記アーム３ａ，３ａの基端部の回動軸を回動支点として、上下方向に回動自在となっている。
この実施例においては、前記カバー３は、作業員が手を入れて電撃の付与をするのに十分なスペースを確保できるよう所要の角度、好ましくは角度６０〜９０°、より好ましくは角度７０〜８０°回動する。
【００２４】
なお、この実施例においては、前記カバー３は、上下方向に回動自在に取り付けられているが、装置本体２から退避回動できるように構成されていればよい。したがって、装置本体２の左右側面部のいずれか一方に、左右方向に回動自在に取り付けてもよい。
【００２５】
以上の構成によって、この考案にかかる屠殺用の電撃装置１は、故障などの何らかの異常が発生したことによって、装置が停止した場合には、前記カバー３を上方または左もしくは右方向に退避回動させ、前記電撃付与手段４を上方に退避回動させるとともに、前記センサー５を前側に移動させることによって、屠殺用動物に手動で連続的に電撃を付与することが可能となる。
【００２６】
前記腹乗せコンベア６は、インバータ制御されるエンドレスなコンベアからなるものであって、豚を腹這い状態で搬送するものである。
この腹乗せコンベア６は、所要頭数の豚を収容する追込み室７の出口の近傍に、上り方向に傾斜させて配置された誘導コンベア８の搬送方向と同一軸線上に、わずかな段差、具体的には豚Ｐの脚の長さ程度、を介して上り方向に傾斜させて配置されている。
したがって、豚Ｐの脚は、乗移りコンベア９上から離れるため、腹乗せコンベア６に移行した豚Ｐは、自身の脚部で立つことができず、自動的に腹部が腹乗せコンベア６上に載せられた状態で、電撃を付与する所定の位置まで搬送される。
なお、この実施例において、前記腹乗せコンベア６の幅は、前記誘導コンベア８の幅と同幅以下、具体的には約１０ｍｍ程度とすることによって、全体の小型化を図っている。
【００２７】
この実施例において、前記誘導コンベア８は、豚Ｐが自然体で歩行するのに必要な最低の幅（約２０ｃｍ程度）と、所要の長さ（約６００ｃｍ以下程度）を有する、インバータ制御されるエンドレスなコンベアからなるもので、その両側面と上部には、豚Ｐを拘束するための拘束機構（図示せず）が配置されている。
【００２８】
さらに、前記誘導コンベア８の始端側（前記追込み室７側）には、図１で明らかなように、誘導コンベア８に追込まれた豚Ｐが追込み室７に後戻りすることがないよう、スライド式の柵ゲート７ａが、前記誘導コンベア８の始端部を遮断できるよう、出没自在となるよう配置されている。
【００２９】
さらにまた、前記誘導コンベア８の終端部の上面には、豚Ｐの前後の脚を同時に、かつ強制的に開脚させるための、平面視二等辺三角形状の開脚部材（図示せず）が配置されている。
【００３０】
図１に示すように、前記誘導コンベア８の一方の側面には、長軸側が前記誘導コンベア８と併走可能な、インバータ制御されるエンドレスな楕円形の追込みコンベア１０が配置されている。
この追込みコンベア１０は、その周長によってピッチ割りを行ない、外方に突出する柵部材１０ａを定ピッチ毎に配置し、前記誘導コンベア８上の豚Ｐの後部を遮断し、かつ後退した豚Ｐの臀部を前方に押し遣るプッシング機構を構成している。
【００３１】
さらに、図１および図２で明らかなように、前記誘導コンベア８と前記腹乗せコンベア６の側面部間に跨るよう乗移りコンベア９が配置される。
【００３２】
前記乗移りコンベア９は、図１で明らかなように、同一線延長線上に所要間隔を存して配置される前記誘導コンベア８の始端部と、前記腹乗せコンベア６の終端部に跨る左右側面部に配置される、インバータ制御されるエンドレスな左右一対のコンベア９１，９２とから構成される。
【００３３】
前記左右一対のコンベア９１，９２は、開脚された豚の前後方向の四肢（脚部）を安定して搬送させるに必要な幅を有するものである。
前記各コンベア９１，９２の始端側（誘導コンベア８側）の、前記誘導コンベア８と併走する上部コンベア終端部９１ａは、誘導コンベア８と同じ高さを保持して上方に移動するよう配置されると共に、前記腹コンベア３１の始端側の上部コンベア終端部９１ｂは、図２で明らかなように、下降方向に移動するように配置されるものである。
反対側のコンベア９２も同様である。
したがって、コンベア９１，９２に、それぞれ両脚が載せられた豚Ｐは、開脚状態を維持しながら電撃装置１に搬送される。
【００３４】
さらに、前記腹乗せコンベア６の終端側には、下り方向に傾斜した乗移りコンベア１２を介して、電撃が付与されて仮死状態となった豚Ｐを屠殺するための放血コンベア１１が配置される。
【００３５】
前記放血コンベア１１上で豚Ｐは屠殺されるが、その際、屠殺を容易にすべく、豚Ｐが放血コンベア１１の進行方向側に腹を向けて倒れるようにする誘導部材１３を設けてもよい。
この誘導部材１３は、電撃付与手段４の前側の、装置本体２の左右側面部の少なくとも一方に回動自在に配置されるもので、この回動によって豚Ｐが放血コンベア１１の進行方向側に腹を向けて倒れるようにするものである。
【００３６】
かかる構成からなる電撃装置１を使用した豚の電撃付与方法を、具体的に説明する。
【００３７】
豚Ｐは、追込み室７の出口から追出され、柵ゲート７ａを通って誘導コンベア８側に移動し、誘導コンベア８上に載る。
【００３８】
前記誘導コンベア８に追込まれた豚Ｐは、誘導コンベア８の上方への移動によって、豚Ｐが開脚部材（図示せず）に接すると、この開脚部材によって豚Ｐは、左右の両前足、両後足を強制的に開かれ、腹乗せコンベア６に向かって前進する。
【００３９】
前記誘導コンベア８の終端部と、腹乗せコンベア６の始端部とは、所要の間隔を存するとともに、豚Ｐの脚部の長さとほぼ対応する高さの段差が形成されているので、誘導コンベア８の終端側に搬送された豚Ｐの胸部は、必然的に高さのある腹乗せコンベア６の始端部に当接する。
【００４０】
前記腹乗せコンベア６の上方への移動によって、豚Ｐがセンサー５に接触すると、センサー５は、豚Ｐを検知したとの情報を制御装置（図示せず）に送る。
この情報に基づき、制御装置は、腹乗せコンベア６を停止させるとともに、豚Ｐの所定の部位に接触している電撃付与手段４によって電撃が付与されるように制御する。
その結果、電撃が付与された豚Ｐは仮死状態となる。
【００４１】
一方、故障などの何らかの異常が発生したことによって、装置が停止した場合には、前記カバー３を上方（図３において矢印Ｃの方向）に退避移動させるとともに、電撃付与手段を構成する電極４を上方（図３において矢印Ａの方向）に退避移動させ、センサー５を前側（図３において矢印Ｂの方向）に退避移動させる。
これによって、豚Ｐに対して、手動で連続的に電撃を付与することが可能となる。
【００４２】
電撃の付与によって仮死状態となった豚Ｐは、下り方向に傾斜したコンベアを介して放血コンベア１１に搬送され、屠殺される。
【００４３】
この実施例においては、電撃付与手段４の前側の、装置本体２の左右側面部のそれぞれに誘導部材１３が設けられ、そのうち、装置本体２の、進行方向に向かって左側の誘導部材１３が内側に倒れることによって、豚Ｐが放血コンベア１１の進行方向側に腹を向けて倒れるように構成されている。
したがって、放血コンベア１１上の豚Ｐの屠殺が容易となっている。
【００４４】
以上述べたように、この考案にかかる屠殺用の電撃装置は、追込み室から出た豚については、人手を要することなく、自動的に搬送されるとともに電撃付与されるので、作業員の電撃作業における負担が大幅に減少し、オートメーション化を可能とする。
【産業上の利用可能性】
【００４５】
この考案にかかる屠殺用の電撃装置は、豚などの屠殺用動物に連続的かつ自動的に電撃を付与することを可能とするもので、故障などの何らかの異常が発生したことによって、装置が停止した場合であっても、屠殺用動物に連続的に電撃を付与して仮死状態にすることができるので、豚などの屠殺用動物を処理する業界に利用される可能性の高いものである。
【符号の説明】
【００４６】
１          屠殺用の電撃装置
２          装置本体
２ａ        支柱
３          カバー
３ａ        アーム
４          電撃付与手段
５          センサー
６          腹乗せコンベア（運搬装置）
７          追込み室
７ａ        柵ゲート
８          誘導コンベア
９          乗移りコンベア
９１，９２  コンベア
９１ａ      コンベアの始端側
９１ｂ      コンベアの終端側
１０        追込みコンベア
１０ａ      柵部材
１１        放血コンベア
１２        乗移りコンベア
１３        誘導部材
Ａ          電撃付与手段の回動方向
Ｂ          センサーの移動方向
Ｃ          カバーの回動方向
Ｐ          豚（屠殺用動物）
【図１】
0003200148.tif 000003
【図２】
0003200148.tif 000004
【図３】
0003200148.tif 000005
【手続補正書】
【提出日】平成27年7月28日(2015.7.28)
【手続補正１】
【補正対象書類名】実用新案登録請求の範囲
【補正対象項目名】全文
【補正方法】変更
【補正の内容】
【実用新案登録請求の範囲】
【請求項１】
屠殺用動物を搬送する運搬装置と、前記運搬装置の下流の所定の位置に配置され、電撃を付与する電極を主体とする電撃付与手段と、前記運搬装置の終端部の左右側面部に配置され、搬送された屠殺用動物を検知するセンサーと、前記センサーから出力された情報に基づき前記運搬装置を停止させるとともに、前記電撃付与手段により電撃が付与されるように制御する制御装置を備える装置本体と、前記装置本体の終端部を覆うように設けられるカバーから構成されるものであって、
前記電撃付与手段は、上下方向に所要角度回動自在に取り付けられ、
前記センサーは、前後方向にスライド移動可能に取り付けられ、
前記カバーは、上下又は左右方向に所要角度回動自在に取り付けられたこと
を特徴とする屠殺用の電撃装置。
【請求項２】
前記カバーは、
角度６０〜９０°回動自在に取り付けられていること
を特徴とする請求項１に記載の屠殺用の電撃装置。
【請求項３】
前記装置本体の終端部側に放血コンベアが備えられ、
前記電撃付与手段の前側には、前記装置本体の内側に倒れることによって、電撃が付与にされて仮死状態となった屠殺用動物を、放血コンベアの進行方向側に腹が向くように倒す誘導部材が備えられていること
を特徴とする請求項１又は２に記載の屠殺用の電撃装置。
【請求項４】
前記屠殺用動物は、
豚であること
を特徴とする請求項１〜３のいずれかに記載の屠殺用の電撃装置。
【手続補正２】
【補正対象書類名】明細書
【補正対象項目名】００１０
【補正方法】変更
【補正の内容】
【００１０】
この考案の請求項３に記載の考案は、
請求項１又は２に記載の屠殺用の電撃装置において、
前記装置本体の終端部側に放血コンベアが備えられ、
前記電撃付与手段の前側には、前記装置本体の内側に倒れることによって、電撃が付与にされて仮死状態となった屠殺用動物を、放血コンベアの進行方向側に腹が向くように倒す誘導部材が備えられていること
を特徴とするものである。